(57)【特許請求の範囲】
【請求項１】
光源が収納され道路に並行して配置される器具本体と、前記器具本体において道路に面した前面側に取り付けられ前記光源からの光の少なくとも一部を透過させることにより表示内容を視認させる表示パネルと、道路に沿う方向における前記器具本体の両側壁の少なくとも一方に設けられ前記器具本体の内部から光を漏洩させる位置表示窓と、前記表示パネルの背面側に配置され前記光源からの光を前記表示パネルに導く導光板とを備え、前記導光板が矩形状の出射面を前記表示パネルに対向させる形で配置され、前記導光板の出射面に隣接する４つの周面のうち道路に沿う方向の２面から前記光源の光が導入されるとともに、道路に沿う方向の両端の２面を前記位置表示窓に対向させていることを特徴とするトンネル用誘導標識。
【請求項２】
光源が収納され道路に並行して配置される器具本体と、前記器具本体において道路に面した前面側に取り付けられ前記光源からの光の少なくとも一部を透過させることにより表示内容を視認させる表示パネルと、道路に沿う方向における前記器具本体の両側壁の少なくとも一方に設けられ前記器具本体の内部から光を漏洩させる位置表示窓と、前記表示パネルの背面側に配置され前記光源からの光を前記表示パネルに導く導光板とを備え、前記導光板が矩形状の出射面を前記表示パネルに対向させる形で配置され、前記導光板の出射面に隣接する４つの周面のうち道路に沿う方向の両端の２面を前記位置表示窓に対向させるとともに、前記位置表示窓に対向する２面から前記光源の光が導入されることを特徴とするトンネル用誘導標識。
【請求項３】
前記光源が発光ダイオードであることを特徴とする請求項１または請求項２記載のトンネル用誘導標識。
【請求項４】
前記光源が冷陰極管であることを特徴とする請求項１または請求項２記載のトンネル用誘導標識。
【請求項５】
前記位置表示部には、位置表示部から出射する光の光量を、可動する光学要素を用いて周期変化させる光量可変手段が付加されていることを特徴とする請求項１ないし請求項４記載のトンネル用誘導標識。
【請求項６】
前記表示パネルからの出射光量が最大になる方向を、前記表示パネルの正面方向に対して道路に沿う方向における少なくとも一側に所要角度ずらして設定する指向性付与手段が付加されていることを特徴とする請求項１ないし請求項５のいずれか１項に記載のトンネル用誘導標識。
【発明の詳細な説明】
【０００１】
【発明の属する技術分野】
本発明は、トンネル内において避難口や非常口を示すために設けられるトンネル用誘導標識に関するものである。
【０００２】
【従来の技術】
従来から、トンネル内における避難口や非常口への誘導を目的として、光源を内蔵した誘導標識が提供されている。一般に、この種の誘導標識は器具本体内に光源を備え、光源からの光の少なくとも一部を透過させる表示パネルを器具本体において道路に面した前面に取り付けた構成を有している。表示パネルには誘導に必要な表示内容を表す図形や文字が印刷され、さらに光源からの光を拡散させて輝度むらを低減するために白色塗料が印刷されている。つまり、従来のトンネル用誘導標識では光源からの光を、器具本体の前面側にのみ放射しているものであった。
【０００３】
【発明が解決しようとする課題】
ところで、トンネル内において避難口や非常口に誘導するには、道路に沿う方向で遠方から誘導標識の存在を認識できることが望ましい。従来から提供されている誘導標識は、上述したように、光源からの光を前面側にのみ放射させるものであるから、誘導標識に近付かなければ存在が認識されにくく、誘導標識の存在を容易に認識させようとすれば比較的大きい光量が必要になる。また、光量を確保するために、光量の大きい光源あるいは複数の光源を用いなければならないから、大型化や高コスト化につながるという問題もある。
【０００４】
本発明は上記事由に鑑みて為されたものであり、その目的は、遠方から存在を容易に認識させながらも電力消費を低減し、かつ小型化および低コスト化が可能なトンネル用誘導標識を提供することにある。
【０００５】
【課題を解決するための手段】
請求項１の発明は、光源が収納され道路に並行して配置される器具本体と、前記器具本体において道路に面した前面側に取り付けられ前記光源からの光の少なくとも一部を透過させることにより表示内容を視認させる表示パネルと、道路に沿う方向における前記器具本体の両側壁の少なくとも一方に設けられ前記器具本体の内部から光を漏洩させる位置表示窓と、前記表示パネルの背面側に配置され前記光源からの光を前記表示パネルに導く導光板とを備え、前記導光板が矩形状の出射面を前記表示パネルに対向させる形で配置され、前記導光板の出射面に隣接する４つの周面のうち道路に沿う方向の２面から前記光源の光が導入されるとともに、道路に沿う方向の両端の２面を前記位置表示窓に対向させていることを特徴とする。この構成によれば、道路に沿う方向における器具本体の両側壁の少なくとも一方に光を放出する位置表示部を設けているので、トンネル内で遠方から識別標識の存在を認識させることができる。また、器具本体の内部で表示パネルの照光に用いる光源からの光の一部を流用するから、器具本体から光を漏洩させる位置表示窓を設けるだけで部品点数をほとんど増加させることなく、目的を達成することができる。
【０００９】
請求項２の発明は、光源が収納され道路に並行して配置される器具本体と、前記器具本体において道路に面した前面側に取り付けられ前記光源からの光の少なくとも一部を透過させることにより表示内容を視認させる表示パネルと、道路に沿う方向における前記器具本体の両側壁の少なくとも一方に設けられ前記器具本体の内部から光を漏洩させる位置表示窓と、前記表示パネルの背面側に配置され前記光源からの光を前記表示パネルに導く導光板とを備え、前記導光板が矩形状の出射面を前記表示パネルに対向させる形で配置され、前記導光板の出射面に隣接する４つの周面のうち道路に沿う方向の両端の２面を前記位置表示窓に対向させるとともに、前記位置表示窓に対向する２面から前記光源の光が導入されることを特徴とする。この構成によれば、道路に沿う方向における器具本体の両側壁の少なくとも一方に光を放出する位置表示部を設けているので、トンネル内で遠方から識別標識の存在を認識させることができる。また、器具本体の内部で表示パネルの照光に用いる光源からの光の一部を流用するから、器具本体から光を漏洩させる位置表示窓を設けるだけで部品点数をほとんど増加させることなく、目的を達成することができる。
【００１２】
請求項３の発明は、請求項１または請求項２の発明において、前記光源が発光ダイオードであることを特徴とする。
【００１３】
請求項４の発明は、請求項１または請求項２の発明において、前記光源が冷陰極管であることを特徴とする。
【００１４】
請求項５の発明は、請求項１ないし請求項４の発明において、前記位置表示部には、位置表示部から出射する光の光量を、可動する光学要素を用いて周期変化させる光量可変手段が付加されていることを特徴とする。この構成によれば、誘導標識の存在を示すための光量が変化することによって、他の光と区別しやすく誘導標識の存在を認識させやすくなる。
【００１５】
請求項６の発明は、請求項１ないし請求項５の発明において、前記表示パネルからの出射光量が最大になる方向を、前記表示パネルの正面方向に対して道路に沿う方向における少なくとも一側に所要角度ずらして設定する指向性付与手段が付加されていることを特徴とする。この構成によれば、表示パネルからの出射光量が最大になる方向を表示パネルの正面方向からずらすような指向性（光量の強度分布）を与えることによって、遠方からの視認が必要な方向には十分な光量を確保しながらも、表示パネルの正面方向への光量をより少なくすることができる。つまり、遠方からの視認性を従来品と同程度に確保するとすれば、従来品よりも光量の少ない光源を用いることが可能になり省エネルギになる上に、光量の少ない光源を用いることによって小型化や低コスト化につながり、しかも、一般に低消費電力の光源は高消費電力の光源に比較すると、電極温度が低いなどの理由により光源の劣化が遅く寿命が長いから、メンテナンスに要するコストの低減にもつながる。
【００１６】
【発明の実施の形態】
（基本構成）
本例は、図１ないし図３に示すように、直方体状の器具本体１を備え、器具本体１における厚み方向の一面（以下、前面という）に設けた矩形状の窓孔２に表示パネル３が装着される。器具本体１はトンネルＴの側壁Ｗに道路に並行するように固定される。つまり、器具本体１は使用時には前面を道路側に向けて取り付けられ、本例では器具本体１の前面は道路に沿う方向の寸法が上下方向の寸法よりも長い長方形状に形成される。また、器具本体１の前後方向（つまり、厚み方向）については寸法が比較的小さく、トンネルＴの壁面Ｗからの突出寸法が小さくなるようにしてある。器具本体１は、壁面Ｗに取り付けられるボディ１０と、ボディ１０の前面側のカバー１１とをパッキン（図示せず）を介して結合して形成される。
【００１７】
ボディ１０には、図３に示すように、直管状の冷陰極管からなる複数本（図示例では３本）の光源４が道路に沿う方向に取り付けられる。ここに、光が後方に放射されるのを防止するために、各光源４ごとに光を前方に反射する反射器１２が設けられる。
【００１８】
カバー１１の前壁には上述した窓孔２が開口し、表示パネル３は窓孔２に対応する部位でカバー１１の前壁の裏面側からカバー１１に取り付けられる。表示パネル３は透明の合成樹脂板またはガラス板であって、表示内容および光の拡散性を付与するための白色塗料を印刷したものを用いる。たとえば、図１に示すように、表示内容として道路に沿う方向の両方の向きについて矢印を表記し、さらに矢印で示した各向きにおいて避難口や非常口までの距離（図示例では単位「ｍ」のみ記載してある）を表記する。
【００１９】
道路に沿う方向における器具本体１の両側壁にはそれぞれ光源４からの光を器具本体１の外部に漏洩させる位置表示窓６が位置表示部として各側壁に上下３個ずつ設けられている。位置表示窓６にはガラスないし合成樹脂の透明板６ａが取り付けられ、器具本体１の内部に塵埃が侵入するのを防止してある。
【００２０】
器具本体１に位置表示窓６を設けたことによって、光源４から放射された光のうち表示パネル３の背面で反射された光や表示パネル３に照射されない光が位置表示窓６から漏れることになる。つまり、道路に沿う方向における器具本体１の両側壁に設けた位置表示窓６を通して器具本体１の内部から外部に光が漏れ、道路に沿う方向の遠方から誘導標識の存在を容易に認識させることができる。しかも、位置表示窓６から漏れる光は従来は利用されていなかった光であるから、エネルギの損失はほとんど生じない。
【００２１】
ところで、本例では、表示パネル３から出射される光の配光曲線が図４に二点鎖線で示す形となるように構成してある。つまり、表示パネル３からの出射光について、道路に沿う方向の強度分布が図５に示す形になるように、指向性が付与されており、出射光量が最大になる方向を、表示パネル３の正面方向に対して道路に沿う方向において所定角度（トンネル内での視認性を考慮すれば、３０〜９０度の範囲が望ましい）ずらして設定してある。指向性を付与する指向性付与手段としては、図６に示すように、表示パネル３の裏面に積層した指向性フィルム５を用いる。指向性フィルム５はフレネルレンズと同様に合成樹脂シートの表面に多数の凹凸を形成したものであって、凹凸の断面を適宜に設計することによって光源４から入射した光に指向性を付与して出射させる。この種の指向性フィルム５は、プリズムシート、指向性シートなどと呼ぶ場合もある。
【００２２】
上述のように指向性フィルム５を用いて表示パネル３からの出射光に指向性を与えることにより、表示パネル３を正面から見る場合よりも、表示パネル３を横ないし斜めから見る場合のほうが高輝度になり、結果的に遠方からの視認性が高くなる。逆に言えば、遠方からの視認性が従来のものと同程度であるとすれば、正面方向への出射光量が低減されることになり、光源４には従来よりも光出力の小さいものを用いることが可能になる。
【００２３】
なお、上述した構成では、光源４として冷陰極放電灯を用いる例を示したが、光源４として発光ダイオードを用いてもよい。発光ダイオードを光源４に用いる場合は複数個配列するのが望ましい。本発明においては表示パネル３から放射される光に指向性を付与することは必須ではなく、指向性フィルム５を設けるか否かは必要に応じて適宜に選択すればよい。また、指向性フィルムを用いる例を示したが、発光ダイオードのような微小な発光素子を複数組み合わせて光源とするような場合には、発光ダイオードの配列や向きを調節することによって指向性を付与することが可能であり、また、指向性フィルムのように透過光に指向性を付与するものではなく、光源に対して表示パネルの反対側に配置される反射要素によって指向性を付与することも可能である。さらに、本例では、表示パネル３の前面側の光の強度分布について正面方向を挟んで両側において光量を最大にしているが、利用形態によっては一側においてのみ光量が最大になるようにしてもよい。同様に、位置表示窓６を器具本体１の両面ではなく片面にのみ設けることも可能である。
【００２４】
（第１の実施の形態）
基本構成では、表示パネル３の後方に光源４を配置した構成を例示したが、本実施形態では図７に示すように、２個の光源４ａ，４ｂを用いるとともに、導光板７を介して光源４ａ，４ｂからの光を表示パネル３に導く例を示す。導光板７は透明な合成樹脂板により形成され、裏面側には適宜の反射ドットを設けて前面である出射面から取り出す光の強度をほぼ均一にしてある。導光板７は矩形板状に形成され、４つの周面のうちの上下の周面に光源４ａ，４ｂからの光を導入するように光源４ａ，４ｂと導光板７とが配置されている。この構成では、導光板７の左右の周面が位置表示窓６に対向するように配置してあり、導光板７から漏出した光が位置表示窓６から器具本体１の外部に放射されるようにしてある。したがって、光源４ａ，４ｂから放射された光を無駄なく利用することができることになる。他の構成および動作は基本構成と同様である。
【００２５】
本実施形態では導光板７の上下の周面に光源４ａ，４ｂからの光を導入しているが、導光板７の左右の周面に光源４ａ，４ｂからの光を導入することも可能であって、この場合には光源４ａ，４ｂから導光板７とは反対側に漏れる光、あるいは導光板７の周面で反射された光を位置表示窓６から器具本体１の外部に放射させることになる。
【００２６】
（参考例）
本例は、図８に示すように、位置表示窓６に対応する部位に光源とは別に位置表示灯８を設けたものであり、位置表示灯８からの光を位置表示窓６を通して器具本体１の外部に放射させるようにしてある。この構成では、位置表示窓６から放射する光を表示パネル３の照光に用いる光とは別に制御することが可能であって、位置表示窓６から放射する光量と、表示パネル３の照光に用いる光量とをそれぞれ適正に設定することができる。また、位置表示灯８を点滅制御すれば、人の注意を引きつけやすくなり誘導標識の存在を認識させやすくなる。
【００２７】
なお、位置表示窓６を設けずに位置表示窓６に対応する部位に位置表示灯８を取り付けるようにしても同様の効果が期待できる。他の構成および動作は第１ないし第２の実施の形態と同様である。
【００２８】
（第２の実施の形態）
本実施形態は、図９に示すように、位置表示窓６に対応する部位に光量可変手段となる光学要素としての回転遮光板９を配置したものである。図示例では平板状の回転遮光板９を位置表示窓６に平行な回転軸９ａの回りにモータのような適宜の動力源によって回転させる構成を採用している。この構成では、位置表示窓６から器具本体１の外部に漏洩する光量が回転遮光板９の回転によって周期変化するから、参考例において位置表示灯８を点滅制御した場合と同様に、光量変化によって人の注意を引きつけやすくなる。他の構成および動作は基本構成と同様である。本実施形態の構成は上述したいずれの構成においても適用可能である。
【００２９】
【発明の効果】
請求項１、請求項２の発明の構成によれば、道路に沿う方向における器具本体の両側壁の少なくとも一方に光を放出する位置表示部を設けているので、トンネル内で遠方から識別標識の存在を認識させることができる。
【００３１】
しかも、導光板によって輝度むらを抑制することができる。また、導光板を用いることによって輝度むらを抑制しながらも表示パネルの背方の厚み寸法を小さくすることができるから、壁面からの突出寸法が比較的小さくなる。
【００３２】
さらに、器具本体の内部で表示パネルの照光に用いる光源からの光の一部を流用するから、器具本体から光を漏洩させる位置表示窓を設けるだけで部品点数をほとんど増加させることなく、目的を達成することができる。
【００３６】
請求項３の発明の構成によれば、光源が発光ダイオードであるから、光源の寿命が長く光源の交換の頻度を少なくすることができ、メンテナンスの費用が抑制される。
【００３７】
請求項４の発明の構成によれば、光源が冷陰極管であるから、細径の光源を用いることができ、トンネルの壁面からの突出寸法が比較的小さくなる。
【００３８】
請求項５の発明の構成によれば、位置表示部には、位置表示部から出射する光の光量を、可動する光学要素を用いて周期変化させる光量可変手段が付加されているから、誘導標識の存在を示すための光量が変化することによって、他の光と区別しやすく誘導標識の存在を認識させやすくなる。
【００３９】
請求項６の発明の構成によれば、表示パネルからの出射光量が最大になる方向を、表示パネルの正面方向に対して道路に沿う方向における少なくとも一側に所要角度ずらして設定する指向性付与手段が付加されているので、表示パネルからの出射光量が最大になる方向を表示パネルの正面方向からずらすような指向性（光量の強度分布）を与えることによって、遠方からの視認が必要な方向には十分な光量を確保しながらも、表示パネルの正面方向への光量をより少なくすることができる。つまり、遠方からの視認性を従来品と同程度に確保するとすれば、従来品よりも光量の少ない光源を用いることが可能になり省エネルギになる上に、光量の少ない光源を用いることによって小型化や低コスト化につながり、しかも、一般に低消費電力の光源は高消費電力の光源に比較すると、電極温度が低いなどの理由により光源の劣化が遅く寿命が長いから、メンテナンスに要するコストの低減にもつながる。
【図面の簡単な説明】
【図１】  基本構成を示す斜視図である。
【図２】  同上の要部斜視図である。
【図３】  同上の横断面図である。
【図４】  同上の動作説明図である。
【図５】  同上に用いる指向性フィルムの特性を示す説明図である。
【図６】  同上に用いる表示パネルと指向性フィルムとの配置を示す斜視図である。
【図７】  本発明の第１の実施の形態を示す一部破断した要部斜視図である。
【図８】  参考例を示す一部破断した要部斜視図である。
【図９】  本発明の第２の実施の形態を示す要部断面図である。
【符号の説明】
１  器具本体
３  表示パネル
４  光源
４ａ，４ｂ  光源
５  指向性フィルム
６  位置表示窓
６ａ  透明板
７  導光板
８  位置表示灯
９  回転遮光板
【図１】
0003895942.tif 000002
【図２】
0003895942.tif 000003
【図３】
0003895942.tif 000004
【図４】
0003895942.tif 000005
【図５】
0003895942.tif 000006
【図６】
0003895942.tif 000007
【図７】
0003895942.tif 000008
【図８】
0003895942.tif 000009
【図９】
0003895942.tif 000010